(57)【要約】【課題】噴出される塗料が充分に霧化され、溝の底面を均一に効率良く塗装でき、かつ被塗装物の溝以外の部分が汚れることを抑制できるスプレーガン、及び溝の塗装方法の提供を目的とする。【解決手段】先端から塗料及び空気を噴出する噴出部２２、及び噴出部２２の後端側に位置する当接部２４を有する、先端側にカバーが装着されない噴出ノズル１２を備え、噴出部２２の先端面には塗料を噴出する塗料噴出口４４が形成され、塗料噴出口４４はニードル弁２０により開閉可能に閉じられ、当接部２４は、ノズル先端が溝の底面から離間するように噴出部２２が溝内に挿入された状態で被塗布物に当接される、スプレーガン１。また、スプレーガン１を用いた溝の塗装方法。【選択図】図３
2017087195.tif 000002
【特許請求の範囲】
【請求項１】
被塗布物に形成された溝の底面に塗料を塗布するためのスプレーガンであって、
先端から塗料及び空気を噴出する噴出部、及び前記噴出部の後端側に位置する当接部を有する、先端側にカバーが装着されない噴出ノズルを備え、
前記噴出部の先端面には塗料を噴出する塗料噴出口が形成され、前記塗料噴出口はニードル弁により開閉可能に閉じられ、
前記当接部は、ノズル先端が前記溝の底面から離間するように前記噴出部が前記溝内に挿入された状態で前記被塗布物に当接される、スプレーガン。
【請求項２】
前記当接部が先端に向かうにつれて窄んだ先細り形状であり、前記当接部の後端側の部分が前記溝の幅よりも大きい、請求項１に記載のスプレーガン。
【請求項３】
前記塗料噴出口が前記ニードル弁で閉じられた状態で、前記ニードル弁の先端部が前記塗料噴出口から外側に突き出ている、請求項１又は２に記載のスプレーガン。
【請求項４】
被塗布物に形成された溝の底面に塗料を塗布する塗装方法であって、
請求項１〜３のいずれか一項に記載のスプレーガンを用いて、前記噴出部を前記溝内に挿入し、前記当接部を前記被塗布物に当接させて、ノズル先端が前記溝の底面から離間するようにした状態で、前記噴出部から塗料及び空気を噴出させて塗装する、溝の塗装方法。
【発明の詳細な説明】
【技術分野】
【０００１】
本発明は、スプレーガン及び溝の塗装方法に関する。
【背景技術】
【０００２】
ビルや住宅等の建築物の外壁を装飾する外装材の一つとして、例えば、基板上に複数のタイルやレンガ等を並べて貼り付けた外装材が知られている。このような外装材では、通常、基材におけるタイル等が貼り付けられる外面に、基材を保護するための塗料が塗布されている。該外装材におけるタイル等が貼り付けられている部分は、タイルが無機材料で形成されていることで劣化しにくい。一方、該外装材における隣り合うタイル等の間に形成された溝（目地に見せる部分）の底面部分では塗膜が劣化するため、塗料の塗り替えが必要となる。溝部分の塗料の塗り替えにおいては、タイル等の表面に塗料が付着して外観が悪化することを防ぐ必要がある。
【０００３】
簡便な塗装方法としては、例えば、スプレー塗装が知られている（例えば、特許文献１）。スプレー塗装に用いられるスプレーガン（エアブラシ）としては、例えば、細かい部分を塗装するものとして、ノズル先端の塗料噴出口からニードル弁の先端部分が突き出た状態で該塗料噴出口が閉じられ、ニードル弁が後退して開いた塗料噴出口から塗料が噴出されるスプレーガンが知られている。
【０００４】
また、スプレー塗装によって塗料を均一に塗布するには、スプレーガンから噴出される塗料が充分に霧化されることが重要である。塗料の霧化を促進したスプレーガンとしては、例えば、塗料噴出口よりも先端側に突出した突出部に形成された空気噴出口から噴出される空気によって塗料の霧化を促進するものが知られている（特許文献２）。しかし、該スプレーガンでは、塗装範囲を細かく絞り込めない。そのため、溝の底面のみを選択的に塗装することが難しく、タイル等の表面に塗料が付着して外観が低下することがある。
【０００５】
ノズル先端部にラッパ状のカバーが設けられ、空気噴出口から噴出した空気の流れを該カバーで規制することによって塗料の霧化を促進させるスプレーガンも知られている（特許文献３）。しかし、該スプレーガンでは、たとえカバーの直径を溝の幅と同じにして塗装を行っても、溝の底面に塗着しきれなかった塗料が跳ね返ってカバー内部に付着して溜まるため、ガン詰まりが起きたり、液ダレを起こしてタイル等の表面が汚れたりしやすい。
【０００６】
以上のような理由から、外装材等における溝の底面への塗装は、通常、筆を用いて行われている。しかし、筆を用いて溝の底面を塗布する方法は作業が煩雑で長時間を要し、非効率的である。
【先行技術文献】
【特許文献】
【０００７】
【特許文献１】特開２００８−３０７５１８号公報
【特許文献２】特開２０１４−４６２８８号公報
【特許文献３】特開２０１４−２２１４６８号公報
【発明の概要】
【発明が解決しようとする課題】
【０００８】
本発明は、噴出される塗料が充分に霧化され、溝の底面を均一に効率良く塗装でき、かつ被塗装物の溝以外の表面部分が汚れることを抑制できるスプレーガン、及び該スプレーガンを用いた溝の塗装方法を提供することを目的とする。
【課題を解決するための手段】
【０００９】
本発明は、以下の構成を有する。
［１］被塗布物に形成された溝の底面に塗料を塗布するためのスプレーガンであって、先端から塗料及び空気を噴出する噴出部、及び前記噴出部の後端側に位置する当接部を有する、先端側にカバーが装着されない噴出ノズルを備え、前記噴出部の先端面には塗料を噴出する塗料噴出口が形成され、前記塗料噴出口はニードル弁により開閉可能に閉じられ、前記当接部は、ノズル先端が前記溝の底面から離間するように前記噴出部が前記溝内に挿入された状態で前記被塗布物に当接される、スプレーガン。
［２］前記当接部が先端に向かうにつれて窄んだ先細り形状であり、前記当接部の後端側の部分が前記溝の幅よりも大きい、［１］に記載のスプレーガン。
［３］前記塗料噴出口が前記ニードル弁で閉じられた状態で、前記ニードル弁の先端部が前記塗料噴出口から外側に突き出ている、［１］又は［２］に記載のスプレーガン。
［４］被塗布物に形成された溝の底面に塗料を塗布する塗装方法であって、［１］〜［３］のいずれかに記載のスプレーガンを用いて、前記噴出部を前記溝内に挿入し、前記当接部を前記被塗布物に当接させて、ノズル先端が前記溝の底面から離間するようにした状態で、前記噴出部から塗料及び空気を噴出させて塗装する、溝の塗装方法。
【発明の効果】
【００１０】
本発明のスプレーガンを用いれば、噴出される塗料が充分に霧化され、溝の底面を均一に効率良く塗装することができ、かつ被塗装物の溝以外の表面部分が汚れることを抑制することができる。
本発明の溝の塗装方法によれば、スプレーガンから噴出される塗料が充分に霧化され、溝の底面を均一に効率良く塗装することができ、かつ被塗装物の溝以外の表面部分が汚れることを抑制することができる。
【図面の簡単な説明】
【００１１】
【図１】本発明のスプレーガンの一例を示す斜視図である。
【図２】図１のスプレーガンの側面図である。
【図３】図１のスプレーガンの噴出ノズルの斜視図である。
【図４】図１のスプレーガンの噴出ノズルの側面図である。
【図５】図３の噴出ノズルのＡ−Ａ断面図である。
【図６】図５の噴出ノズルにおいてニードル弁を後退させた様子を示した断面図である。
【図７】図１のスプレーガンで溝の底面を塗装する様子を示した断面図である。
【図８】図１のスプレーガンで溝の底面を塗装する様子を示した溝内の側面図である。
【図９】本発明の他の例のスプレーガンで溝の底面を塗装する様子を示した断面図である。
【発明を実施するための形態】
【００１２】
［スプレーガン］
本発明のスプレーガンは、被塗布物に形成された溝の底面に塗料を塗布するためのスプレーガンである。本発明のスプレーガンは、先端から塗料及び空気を噴出する噴出部、及び前記噴出部の後端側に位置する当接部を有する、先端側にカバーが装着されない噴出ノズルを備えている。噴出部の先端面には、塗料を噴出する塗料噴出口が形成されている。塗料噴出口はニードル弁により開閉可能に閉じられる。当接部は、ノズル先端が溝の底面から離間するように噴出部が溝内に挿入された状態で被塗布物に当接される。
本発明のスプレーガンは、被塗装物の溝内に挿入される噴出部と、被塗装物に当接される当接部とを有する、先端側にカバーが装着されない噴出ノズルを備える以外は、公知の態様を採用することができる。
【００１３】
以下、本発明のスプレーガンの一例を示してさらに説明する。本実施形態のスプレーガン１は、図１及び図２に示すように、棒状のガン本体１０と、噴出ノズル１２と、塗料容器接続部１４と、空気供給口部１６と、操作桿１８と、を備えている。
【００１４】
この例のガン本体１０は、円筒形状になっている。
ガン本体１０の内部構造等の態様は、公知のスプレーガンで採用される態様を採用することができる。ガン本体１０の長さ及び太さは、特に限定されず、適宜設定することができる。
【００１５】
噴出ノズル１２は、ガン本体１０の先端から突出するように設けられている。噴出ノズル１２は、図１〜５に示すように、先端から塗料及び空気を噴出する噴出部２２と、噴出部２２の後端側に位置する当接部２４とを備えている。噴出ノズル１２の先端側には、空気噴出口から噴出した空気の流れを規制するラッパ状等のカバーは装着されない。
【００１６】
この例の噴出部２２は、筒壁部２６と、円環部２８と、突出部３０と、先端面部３２と、を備えている。筒壁部２６は、円筒状であり、内壁面の後端側にネジ溝２６ａが形成されている。円環部２８は、板状でかつ円環状であり、筒壁部２６の先端部から中心軸に向かって垂直に突出するように設けられている。突出部３０は、円筒状であり、円環部２８の内周縁から筒壁部２６と反対側に垂直に突出するように設けられている。先端面部３２は、板状で、突出部３０の先端開口を閉じるように設けられている。先端面部３２の中央部分には、先端面部３２を外側から正面視したときの形状が円形状の噴出口３４が形成されている。
【００１７】
当接部２４は、ノズル先端が溝の底面から離間するように噴出部２２が溝内に挿入された状態で、被塗布物に当接される部分である。この例の当接部２４は、軸方向に垂直な断面形状が円形状で、後端側から噴出部２２側に向かって徐々に縮径している当接部本体３６と、当接部本体３６の先端から突出するように設けられた円筒状の突出部３８と、を備えている。このように、当接部２４は、先端に向かうにつれて窄んだ先細り形状になっている。
【００１８】
当接部２４においては、当接部本体３６の後端側の部分の大きさが、被塗装物の溝の幅よりも大きくなるように設計される。これにより、塗装の際には、ノズル先端が溝の底面から離間するように噴出部２２が溝内に挿入された状態で、被塗布物において溝を形成する両側のタイル等の角部分に当接部２４の当接部本体３６が当接する。
【００１９】
突出部３８の外壁面には、筒壁部２６の内壁面に形成されたネジ溝２６ａと螺合するネジ溝３８ａが形成されている。このように、この例の噴出ノズル１２では、筒壁部２６のネジ溝２６ａと突出部３８のネジ溝３８ａとを螺合させて、噴出部２２を当接部２４に着脱自在に装着できるようになっている。噴出部が着脱自在になっていることで、噴出ノズル内の洗浄が容易に行える。
【００２０】
噴出ノズル１２の噴出部２２と当接部２４の内部の軸芯部には、軸方向に延びる円筒状の内部ノズル４２が設けられている。内部ノズル４２の先端は、噴出ノズル１２の先端に形成された噴出口３４まで達している。内部ノズル４２の先端部分は、先端に向かうにつれて細くなっている。また、内部ノズル４２の先端には正面視円形状の塗料噴出口４４が形成されている。噴出ノズル１２では、噴出口３４における塗料噴出口４４の外側の円環部分が空気噴出口４６になっている。このように、噴出ノズル１２における噴出部２２の先端面には、塗料を噴出する塗料噴出口４４が形成され、さらに塗料噴出口４４を囲むように空気噴出口４６が形成されている。
【００２１】
ガン本体１０及び噴出ノズル１２内の軸芯部には、軸方向に延在する棒状のニードル弁２０が配置されている。ニードル弁２０の先端側の部分は、内部ノズル４２内に挿通されており、後端側の部分がガン本体１０内において軸方向に移動可能に支持されている。ニードル弁２０は、操作桿１８を操作することによって軸方向に前進又は後退させることができるようになっている。
【００２２】
ニードル弁２０の形状は、棒状で、かつ先端部が先端に向かうにつれて細くなり、先が尖った形状になっている。ニードル弁２０は内部ノズル４２の塗料噴出口４４まで到達でき、ニードル弁２０の先端部分が塗料噴出口４４から外側に突き出された状態で塗料噴出口４４を開閉可能に閉じることができるようになっている。
【００２３】
内部ノズル４２内においては、内部ノズル４２の内壁面とニードル弁２０との間に空間が形成されており、該空間が塗料の流路４８となっている。流路４８は、塗料容器接続部１４の内部と繋がっている。すなわち、塗料容器接続部１４内に供給された塗料が、内部ノズル４２内の流路４８を通じて塗料噴出口４４から噴出されるようになっている。また、当接部２４における当接部本体３６とガン本体１０の内部には、空気供給口部１６の内部と噴出ノズル１２の内部１２ａと繋ぐ流路４０が形成されている。すなわち、空気供給口部１６内に供給された圧縮空気が流路４０を通じて噴出ノズル１２の内部１２ａに到達し、空気噴出口４６から噴出するようになっている。
【００２４】
塗料容器接続部１４は、円筒状であり、ガン本体１０における先端寄りの部分から後端側に斜め下方に突出するように設けられている。塗料容器接続部１４の下端部には、塗料が収容された塗料容器が装着できるようになっている。塗料容器に液状の塗料が収納され、該塗料が塗料容器から塗料容器接続部１４へと供給される。塗料容器接続部１４の大きさ及び長さは、特に限定されず、塗料容器の大きさ等に応じて適宜設定することができる。
【００２５】
空気供給口部１６は、圧縮空気が供給される部分である。ガン本体１０の軸方向においては、空気供給口部１６の位置と操作桿１８の位置が一致している。空気供給口部１６の構造としては、スプレーガンにおいて通常用いられる空気供給口部の構造を採用することができる。この例の空気供給口部１６では、内部の流路に給気バルブが設けられ、下端部に圧縮空気の供給ホースが接続されるようになっている。空気供給口部１６内の給気バルブは、操作桿１８を押し下げることで開くようになっている。
【００２６】
操作桿１８は、ガン本体１０の軸方向における空気供給口部１６の位置と対応する位置の上部に設けられている。操作桿１８は、押し下げ自在、かつ後端側に押し倒し自在に取り付けられている。操作桿１８を押し下げることで、空気供給口部１６内の給気バルブが開かれる。また、操作桿１８を後端側に向かって押し倒すことで、図６に示すように、ガン本体１０及び噴出ノズル１２内でニードル弁２０が軸方向に後退し、塗料噴出口４４が開かれる。コイルスプリング等を利用してニードル弁２０が常時先端側に向かって付勢されているようにしておけば、押し倒した操作桿１８から手を離すことで、ニードル弁２０が軸方向に前進し、塗料噴出口４４が自動的に閉じられる。
【００２７】
（製造方法）
本発明のスプレーガンの製造方法は、特に限定されず、スプレーガンの製造に通常用いられる公知の方法を利用することができる。
【００２８】
［溝の塗装方法］
以下、スプレーガン１を用いた溝の塗装方法について、図１〜８に基づき、基板１２０の外面に複数のタイル１１０が並べて貼り付けられた被塗装物１００における、隣り合うタイル１１０の間に形成された溝１１２の底面１１４に塗装を行う場合を例に説明する。
【００２９】
スプレーガン１を使用する際には、液状の塗料が収納された塗料容器を塗料容器接続部１４の下端部に装着し、空気を供給する機器と繋がっている供給ホースを空気供給口部１６に接続する。次いで、塗料噴出口４４がニードル弁２０によって閉じられ、かつ空気供給口部１６内の給気バルブが閉じられている状態で、図７に示すように、スプレーガン１における噴出ノズル１２の噴出部２２を溝１１２内に挿入する。このとき、先端に向かって徐々に縮径している当接部２４の後端側の大きさが、溝１１２の幅よりも大きくなっていることで、当接部２４の後端側の部分が溝１１２を形成する２つのタイル１１０の角部１１０ａにそれぞれ当接する。これにより、スプレーガン１の先端側が溝１１２内にそれ以上挿入されなくなる。この状態では、噴出ノズル１２のノズル先端が溝１１２の底面１１４から離間している。
【００３０】
このように、噴出部２２を溝１１２内に挿入し、当接部２４を被塗布物におけるタイル１１０の角部１１０ａに当接させて、ノズル先端が溝１１２の底面１１４から離間するようにした状態で、スプレーガン１の操作桿１８を押し下げつつ後端側に倒す。これにより、図６に示すように、ニードル弁２０が後退して塗料噴出口４４が開き、塗料容器接続部１４に装着された塗料容器内から流路４８を通じて流通してきた塗料が塗料噴出口４４から噴出される。また、空気供給口部１６内の給気バルブが開き、空気供給口部１６に接続された供給ホースから流路４０を通じて流通してきた圧縮空気が空気噴出口４６から噴出される。塗料噴出口４４から噴出された塗料は、空気噴出口４６から噴出された空気によって霧化され、溝１１２の底面１１４に付着する。そして、噴出部２２を溝１１２内に挿入し、当接部２４を被塗布物におけるタイル１１０の角部１１０ａに当接させた状態を維持しつつ、溝１１２に沿ってスプレーガン１の噴出ノズル１２を移動させながら塗料及び圧縮空気を噴出させることで、溝１１２の底面１１４が順次塗装される。
【００３１】
スプレーガン１においては、噴出ノズル１２の先端側に、空気噴出口４６から噴出した空気の流れを規制するラッパ状等のカバーは装着されていない。しかし、ノズル先端が溝１１２の底面１１４から離間するように溝１１２内に噴出部２２が挿入され、当接部２４がタイル１１０の角部１１０ａに当接した状態では、溝１１２の側壁面が噴出された空気の流れを規制するカバーの役割を果たす。そのため、塗料噴出口４４から噴出された塗料の霧化が充分に促進されることで、溝１１２の底面１１４に効率良く均一に塗料が塗着される。
【００３２】
また、スプレーガン１では、噴出ノズル１２の先端側に空気の流れを規制するカバーが装着されず、噴出部２２の先端面の塗料噴出口４４を、ニードル弁２０の先端部を突き出した状態で閉じる態様のため、ノズル先端に跳ね返った塗料によって液ダレやガン詰まりが引き起こされにくい。また、塗装時には、スプレーガン１における噴出ノズル１２の噴出部２２は溝１１２内に挿入されている。これらのことから、塗料噴出口４４から噴出された塗料がタイル１１０の表面に付着して外観が悪くなることが抑制される。
【００３３】
塗装の際には、噴出部の先端面に形成された塗料噴出口と溝の底面との距離、及びスプレーガンにおける噴出ノズルの軸線方向と溝の底面とがなす角度を調節することで、被塗装物の溝以外の表面部分が汚れることを抑制しつつ、溝の底面により均一に効率良く塗装することができる。
【００３４】
塗装時における、噴出部の先端面に形成された塗料噴出口と溝の底面との距離ｄ（図７）は、１ｍｍ以上が好ましく、２〜３ｍｍがより好ましい。距離ｄが前記下限値以上であれば、塗料が充分に霧化されやすい。また、ノズル先端に跳ね返った塗料が付着することによる液ダレやガン詰まりがより引き起こされにくくなり、塗装後の外観が優れたものとなりやすい。距離ｄが上限値以下であれば、塗料がタイル等の表面に塗着しにくく、外観不良となることが抑制されやすい。
【００３５】
塗装時のスプレーガンにおける噴出ノズルの軸線方向と溝の底面とがなす角度θ（図８）は、４０〜１４０度が好ましく、４０〜９０度がより好ましい。角度θが前記範囲内であれば、塗料がタイル等の表面に塗着しにくく、外観不良となることが抑制されやすい。
【００３６】
以上説明したように、本発明では、ノズル先端が溝の底面から離間するように噴出部が溝内に挿入された状態で被塗布物に当接される当接部を有する、噴出された空気の流れを規制するカバーが装着されていない噴出ノズルを備えたスプレーガンを用いる。噴出ノズルに空気の流れを規制するカバーが装着されず、噴出部を溝内に挿入して塗装を行うことで、被塗装物の溝以外の表面部分が塗料で汚れることを抑制できる。また、本発明では、空気の流れを規制するカバーが装着されていなくても、溝の側壁面によって噴出された空気の流れが規制されるため、噴出される塗料が充分に霧化され、溝の底面を均一に効率良く塗装することができる。
【００３７】
なお、本発明におけるスプレーガンは、前記したスプレーガン１には限定されない。例えば、本発明のスプレーガンは、図９に例示したスプレーガン２であってもよい。図９における図７と同じ部分は同符号を付して説明を省略する。スプレーガン２は、噴出ノズル１２の代わりに噴出ノズル１２Ａを備える以外は、スプレーガン１と同じである。
【００３８】
噴出ノズル１２Ａは、当接部２４の代わりに当接部２４Ａを備える以外は噴出ノズル１２と同じである。当接部２４Ａは、先端に向かうにつれて縮径する当接部本体３６の代わりに円筒状の当接部本体３６Ａを備え、かつ当接部本体３６Ａの後端寄りに、径方向の外側に突出する突出片５０が設けられている以外は、当接部２４と同じである。スプレーガン２では、噴出部２２を溝１１２内に挿入したときに、当接部２４Ａの突出片５０がタイル１１０の表面における溝１１２近傍の縁部分に当接することで、ノズル先端が溝１１２の底面１１４から離間した状態となる。
【００３９】
スプレーガン２の場合もスプレーガン１の場合と同様に、溝１１２の側壁面が噴出された空気の流れを規制するカバーの役割を果たすことで塗料が充分に霧化されるため、溝１１２の底面１１４を効率良く均一に塗装を行うことができる。また、噴出ノズル１２Ａに空気の流れを規制するカバーを装着せず、噴出部２２を溝内に挿入して塗装を行うため、タイル１１０の表面が塗料で汚れることも抑制できる。
【００４０】
本発明のスプレーガンは、噴出ノズルにおける噴出部が着脱自在になっていなくてもよい。また、本発明のスプレーガンにおいては、塗料噴出口がニードル弁で閉じられている状態において、ニードル弁の先端部分が塗料噴出口から突き出ていないものであってもよい。
【符号の説明】
【００４１】
１、２  スプレーガン
１０  ガン本体
１２、１２Ａ  噴出ノズル
１４  塗料容器接続部
１６  空気供給口部
１８  操作桿
２０  ニードル弁
２２  噴出部
２４、２４Ａ  当接部
４４  塗料噴出口
４６  空気噴出口
５０  突出片
１００  被塗装物
１１０  タイル
１１２  溝
１１４  底面
１２０  基板
【図１】
2017087195.tif 000003
【図２】
2017087195.tif 000004
【図３】
2017087195.tif 000005
【図４】
2017087195.tif 000006
【図５】
2017087195.tif 000007
【図６】
2017087195.tif 000008
【図７】
2017087195.tif 000009
【図８】
2017087195.tif 000010
【図９】
2017087195.tif 000011